(57)【要約】【課題】ステップ式電圧調整器の動作回数を減少させることが可能な系統電圧制御装置を提供する。【解決手段】本発明に係る系統電圧制御装置は、ステップ式電圧調整器が設けられた配電系統の配電線で計測された電圧値を蓄積するデータベース８と、データベース８に蓄積された電圧値の時系列データから確率分布を算出する統計分析部９と、確率分布に基づいて一定時間後の電圧値が逸脱する確率である逸脱確率を求める逸脱確率予測部１０と、逸脱確率がステップ式電圧調整器のタップ切換するべき確率より大きい場合ステップ式電圧調整器をタップ切換するという動作を決定する動作決定部１１と、動作決定部１１の決定に基づいてステップ式電圧調整器に制御指令を送る制御指令部１２とを備える。【選択図】      図２
2020068565.tif 000002
【特許請求の範囲】
【請求項１】
ステップ式電圧調整器が設けられた配電系統の配電線で計測された電圧値を蓄積するデータベースと、
前記データベースに蓄積された前記電圧値の時系列データから確率分布を算出する統計分析部と、
前記確率分布に基づいて一定期間後の電圧値が逸脱する確率である逸脱確率を求める逸脱確率予測部と、
前記逸脱確率が前記ステップ式電圧調整器のタップ切換するべき確率より大きい場合、前記ステップ式電圧調整器をタップ切換するという動作を決定する動作決定部と、
前記動作決定部の決定に基づいて前記ステップ式電圧調整器に制御指令を送る制御指令部と、
を備えた系統電圧制御装置。
【請求項２】
前記統計分析部は、前記データベースから現在の電圧値に近い値の範囲内にある電圧値を抽出し、前記現在の電圧値に近い値の範囲内にある電圧値の計測された時点から前記一定時間後の電圧値を抽出し、前記現在の電圧値に近い値の範囲内にある電圧値と前記一定時間後の電圧値との電圧変化の差を求めて度数分布を作成し、前記度数分布の各度数を用いて前記現在の電圧値に近い値の範囲内にある電圧値のデータ数を母数として各確率を求め、前記各確率を通るような近似曲線を作成して確率分布を算出すること
を特徴とする請求項１に記載の系統電圧制御装置。
【請求項３】
前記動作決定部は、前記逸脱確率が前記タップ切換するべき確率よりも大きい計測箇所が複数ある場合、最も変電所側にある前記計測箇所の前記変電所側の前記ステップ式電圧調整器を動作させる決定をすること
を特徴とする請求項１又は２に記載の系統電圧制御装置。
【請求項４】
気象観測機関から計測された気象情報を前記データベースに出力する気象情報収集部とを備え、
前記統計分析部は、現在と前記気象情報が一致し、且つ前記現在の電圧値に近い値の範囲内にある電圧値を抽出すること
を特徴とする請求項１から３のいずれか１項に記載の系統電圧制御装置。
【請求項５】
前記統計分析部は、現在と曜日、時間帯、又は季節の情報が一致し、且つ前記現在の電圧値に近い値の範囲内にある電圧値を抽出すること
を特徴とする請求項１から４のいずれか１項に記載の系統電圧制御装置。
【発明の詳細な説明】
【技術分野】
【０００１】
本発明は、配電系統の電圧を制御する系統電圧制御装置に関するものである。
【背景技術】
【０００２】
系統運用者は、配電系統内につながる高圧受電もしくは低圧受電の需要家の受電点電圧を、法若しくは需要家との協定により定められた適正電圧範囲内に収めることが義務付けられている。
そのために配電系統では、低圧需要家の受電点電圧も適正電圧範囲を超えないように、高圧系統内各点に適正電圧範囲の上下限から内側にある程度の余裕を見た上下限基準値を定め、その範囲内に電圧を維持するよう、ステップ式電圧調整器（Step  Voltage  Regulator、以下では適宜ＳＶＲと呼ぶ。）に代表される電圧調整器を制御している。
その電圧制御をより高精度に実施すべく、集中型電圧制御が提案されている。例えば特許文献１では、配電系統の集中監視制御を行う系統電圧制御装置が、まず、配電系統内各点で計測された電圧値および負荷発電量の予測値に基づいて、現在から次の制御周期までの期間内での、高圧系統内各点の電圧値の変動範囲を予測する。次に、予測した電圧値が基準値を超過する場合は、超過を回避する方向に電圧を上げ下げすべく、ＳＶＲなどの電圧調整器に対してタップ切換の制御指令を出す。
【先行技術文献】
【特許文献】
【０００３】
【特許文献１】国際公開第２０１４／２０７８４９号
【発明の概要】
【発明が解決しようとする課題】
【０００４】
しかしながら、このような系統電圧制御装置にあっては、電圧変動幅、すなわちあらかじめ定めた一定期間において想定しうる電圧の最大値及び最小値のみを制御周期毎に予測している。したがって、現在の電圧分布がどのような確率でどのような電圧分布に変化しそうであるか、すなわち一定期間後の各点の電圧値とその発生確率を予測していない。そのため、上下限基準値の範囲を一時的に超えても、そのまま放置すれば数秒ないし数分後には、電圧が再び基準値の範囲内に戻り、適正電圧範囲から逸脱することがない場合においても、ＳＶＲを無駄に制御することになり、ＳＶＲ動作回数が増加する。これにより、ＳＶＲの寿命低下を招くという課題があった。
【０００５】
本発明は、上述のような問題を解決するためになされたもので、ＳＶＲの動作回数を減少させることが可能な系統電圧制御装置を提供することを目的とする。
【課題を解決するための手段】
【０００６】
本発明に係る系統電圧制御装置は、ステップ式電圧調整器が設けられた配電系統の配電線で計測された電圧値を蓄積するデータベースと、データベースに蓄積された電圧値の時系列データから確率分布を算出する統計分析部と、確率分布に基づいて一定時間後の電圧値が逸脱する確率である逸脱確率を求める逸脱確率予測部と、逸脱確率がステップ式電圧調整器のタップ切換するべき確率より大きい場合ステップ式電圧調整器をタップ切換するという動作を決定する動作決定部と、動作決定部の決定に基づいてステップ式電圧調整器に制御指令を送る制御指令部とを備える。
【発明の効果】
【０００７】
本発明にかかる系統電圧制御装置によれば、ＳＶＲの動作回数を減少させ、タップ切換の制御動作によるＳＶＲの寿命低下を低減することができる。
【図面の簡単な説明】
【０００８】
【図１】本発明の実施の形態１である系統電圧制御装置を適用した配電制御システムの一例を示す図である。
【図２】本発明の実施の形態１である系統電圧制御装置の機能構成例を示す構成図である。
【図３】本発明の実施の形態１の計測情報の収集及びデータベース化に関するフローチャートの一例である。
【図４】データベースに格納する計測データのイメージ図である。
【図５】本発明の実施の形態１のＳＶＲの動作決定をする処理の流れを示すフローチャートの一例である。
【図６】本発明の実施の形態１に係る電圧変動量の度数分布及び確率分布を求めるフローチャートである。
【図７】電圧変動量を度数分布で示したグラフの一例である。
【図８】電圧変動量の確率分布を示したグラフの一例である。
【図９】ある一定周期後に基準範囲の逸脱確率を求める処理のフローチャートの一例である。
【図１０】現在の電圧値と、上下限基準値各々との差分を表したグラフの一例である。
【図１１】確率分布のグラフ上で上下限基準値を超える際の値を明確に示した図の例である。
【図１２】現在の電圧値と上下限基準値各々との差分を表したグラフのもう一つの例である。
【図１３】確率分布のグラフ上で逸脱確率として算出する箇所を明確に示した図の例である。
【図１４】本発明の実施の形態２である系統電圧制御装置を適用した配電制御システムの一例を示す図である。
【図１５】本発明の実施の形態２のＳＶＲの動作決定をする処理の流れを示すフローチャートの一例である。
【図１６】本発明の実施の形態３である系統電圧制御装置を適用した配電制御システムの一例を示す図である。
【図１７】本発明の実施の形態３である系統電圧制御装置の機能構成例を示す構成図の例である。
【図１８】本発明の実施の形態３である電圧変動量の確率分布を求めるフローチャートである。
【発明を実施するための形態】
【０００９】
実施の形態１．
本発明の実施の形態１に係る系統電圧制御装置１ａについて図１を用いて説明する。図１は、本発明の実施の形態１に係る系統電圧制御装置１ａを適用した配電制御システムの一例を示す図である。図１の実線の矢印は制御指令の信号の流れを表している。図１の点線の矢印は計測情報の流れを表している。
【００１０】
図１において、配電線３には、変電所側の配電用変電所６から送出された電力が末端側に向かって左から右に供給されている。配電線３には、ステップ式電圧調整器であるＳＶＲ２１ａが設置されている。ＳＶＲ２１ａは、通信ネットワーク５に接続され、系統電圧制御装置１ａから送られた制御指令によって動作する遠隔制御方式のＳＶＲである。また、電圧計測装置４ａはＳＶＲ２１ａの末端側に設置されており、通信ネットワーク５に接続されている。なお、図１では、ＳＶＲ２１ａの末端側に設置されている電圧計測装置が電圧計測装置４ａの１台のみ示されているが、複数台あってもよいことは言うまでもない。電圧計測装置４ａは、配電線３の電圧を定期的に測定し、自己の識別番号と計測日と計測時刻と計測された電圧値とをセットで計測情報として出力する。すなわち、計測情報は、識別番号、計測日、計測時刻及び電圧値から構成されている。系統電圧制御装置１ａは、通信機能を有し、通信ネットワーク５に接続されている。電圧計測装置４ａから出力された計測情報は、通信ネットワーク５を介して系統電圧制御装置１ａに送られる。また、系統電圧制御装置１ａは、通信ネットワーク５を介して、ＳＶＲ２１ａにタップ切換を制御する制御指令を出している。
【００１１】
図２は、本発明の実施の形態１の図１における系統電圧制御装置１ａの機能構成例を示した構成図である。
【００１２】
図２に示すように、系統電圧制御装置１ａは、図１における通信ネットワーク５に接続されている電圧収集部７、データベース８、統計分析部９、逸脱確率予測部１０、動作決定部１１、及び図１における通信ネットワーク５に接続されている制御指令部１２を備えている。
【００１３】
電圧収集部７は、電圧計測装置４ａから送られてきた計測情報の収集と収集された計測情報を整理し、整理した結果をデータベース８へ計測データとして出力する。計測データの詳細については後述する。
【００１４】
データベース８は、電圧収集部７から出力された計測データを入力し、計測データをデータベース化して内部に蓄積する。計測データの構造に関しては、後述する。
【００１５】
配電系統内の配電線３の電圧を適正電圧範囲に維持するために、ＳＶＲ２１ａは適正電圧範囲よりも狭い範囲に制御動作を行うか判断する基準値の範囲が設けられている。この基準値の範囲を基準範囲と呼び、これの上限値を上限基準値、下限値を下限基準値と呼ぶ。
【００１６】
統計分析部９は、電圧収集部７から取り込んだ現在の電圧値に近い全ての過去計測データ、及びその個々の計測データからあらかじめ定めた一定期間後の計測データをデータベース８から取り込んで、一定期間における電圧変化量の度数分布を作成する。そしてその度数分布から、現在から一定期間後の電圧変化の変動量を表す変動確率の確率分布を求める統計処理を行う。
【００１７】
逸脱確率予測部１０は、現在の電圧値と、統計分析部９で求められた確率分布を用いて一定期間後の電圧値が基準範囲を逸脱する逸脱確率を予測する。
【００１８】
動作決定部１１は、逸脱確率予測部１０で求められた逸脱確率を用いてＳＶＲ２１ａの制御動作の決定をする。
【００１９】
制御指令部１２は、制御指令をＳＶＲ２１ａに送る。
【００２０】
次に、図１及び図２に示された系統電圧制御装置１ａの動作についてフローチャートを用いて詳細に説明する。まずは、系統電圧制御装置１ａが行う計測情報の収集及びデータベース化について説明する。
【００２１】
図３は、本発明の実施の形態１の計測情報の収集及びデータベース化に関するフローチャートの一例である。
【００２２】
ステップＳ１では、図２における電圧収集部７が、図１における電圧計測装置４ａより出力された計測情報を、通信ネットワーク５を介して収集する。図１の例で電圧計測装置は１台だが、電圧計測装置４ａは複数台設けられることも想定して識別番号が割り振られている。既に説明したように、計測情報は、識別番号、計測日、計測時刻及び電圧値で構成されている。
【００２３】
ステップＳ２において、電圧収集部７は、計測情報を計測日、計測時刻、計測された地点及び電圧値を計測データとして整理する。なお、電圧収集部７は、電圧計測装置４ａの識別番号と設置されている地点Ａとの対応を予め記憶している。整理された計測データの構造の一例を図４で示す。例えば、図４では、地点Ａは電圧計測装置４ａより収集された計測情報の識別番号と対応している。
【００２４】
ステップＳ３において、電圧収集部７はステップＳ２で整理した計測データをデータベース８に出力する。データベース８は、電圧収集部７から出力された計測データを入力し、計測データは、データベース化されてデータベース８の内部に蓄積される。
【００２５】
本実施の形態の系統電圧制御装置１ａは、上記の動作を行うので、配電線３の地点Ａの電圧値が計測日時に対応づけられて蓄積されている。すなわち、データベース８には、過去から直近までの計測データが蓄積されている。
【００２６】
次に、データベース８にデータベース化されて蓄積された計測データを用いた系統電圧制御装置１ａの動作について説明する。
【００２７】
図５は、本発明の実施の形態１のＳＶＲ２１ａの制御に関する処理の流れを示すフローチャートの一例である。本実施の形態では、あらかじめ定めた一定期間を当該系統の制御周期の期間とする。本実施の形態において当該系統の制御周期は１分とするが、これに限るものではない。また、あらかじめ定めた一定期間として、当該系統の制御周期の期間でなくてもよく、過去の計測情報から電圧変動周期を求めてその１／２とする期間などであってもよい。
【００２８】
まず、ステップＳ４では、統計分析部９において、データベース８に蓄積された計測データを用いて確率分布を算出する。確率分布の算出に関する詳細な流れは以下で示す。
【００２９】
ここで、ステップＳ４で述べた統計分析部９の処理の流れを表す詳細なフローチャートを図６で示す。
ステップＳ４１では、現在の電圧値に近い値の範囲内にある過去の計測電圧値をデータベース８から見つけて抽出する。本実施の形態では高圧系統での電圧値を下限値６４５０Ｖ、上限値６６５０Ｖとする。このとき現在の電圧値に近い値の範囲を、現在の電圧値±５０Ｖの範囲とする。抽出した電圧値のデータ数を５０００個とし、抽出した電圧値をＸ１〜Ｘ５０００とする。次に、その抽出した電圧値Ｘ１〜Ｘ５０００の計測された時点から１分後の電圧値を抽出し、Ｘ１〜Ｘ５０００の電圧値に対応付けて各々Ｙ１〜Ｙ５０００とする。
ステップＳ４２では、ステップＳ４１で抽出した電圧値Ｘ１〜Ｘ５０００とその１分後の電圧値Ｙ１〜Ｙ５０００との差を各々求め、電圧変動量ΔＶとする。つまり、Ｘ１とＹ１では、Ｚ１＝Ｙ１−Ｘ１とする。各々で求めた差をＺ１〜Ｚ５０００とする。
ステップＳ４３では、求めた差であるＺ１〜Ｚ５０００を用いて、度数分布を作成する。作成した度数分布の例を図７で示す。図７において、上下方向が度数で、左右方向が電圧変動量ΔＶを表している。
【００３０】
ステップＳ４４では、全データ数５０００を母数として、Ｓ４３で求めた度数分布から確率分布を算出する。図７の横軸の各電圧変動量に対応した縦軸の各度数を母数であるデータ数５０００で割り、確率とする。例えば電圧変動量ΔＶが７０Ｖのとき度数が４００個であれば、４００を５０００で割り、確率は８％となる。各電圧変動量から確率を求めるとそれらの値を通るような近似曲線を引くことで確率分布を算出する。算出した確率分布の例を図８で示す。図８において、上下方向が確率で、左右方向が電圧変動量ΔＶを表し、上側へ行くほど確率が高く、右側へ行くほど電圧変動量ΔＶが大きくなる。現在の電圧値の電圧変動量ΔＶが７０Ｖとなる確率は、図８での電圧変動量ΔＶが点Ｖ１の位置での縦軸の値となり、図８では８％であることを示している。
【００３１】
つづいて、図５で表しているステップＳ５では、逸脱確率予測部１０において、現在の電圧値が一定期間後、すなわち本実施の形態では１分後に基準範囲を逸脱する確率を求める。逸脱確率の算出の詳細な流れは以下で示す。
【００３２】
図９は、ステップＳ５で述べた逸脱確率予測部１０の処理の流れを表すフローチャートである。制御を行う必要がある場合の例を図１０で表す。図１０は、電圧計測装置４ａが取得した現在の電圧値を点Ｖ２で示した図の例であり、上限基準値及び下限基準値各々との差を示している。図１１は、逸脱確率とする値の箇所を図８を用いて分かりやすく示したものである。
ステップＳ５１では、上限基準値の電圧値から点Ｖ２で示した現在の電圧値を引くことで、両者の差分を求める。図１０では、現在の電圧値である点Ｖ２と上限基準値との差分は７０Ｖである。
ステップＳ５２では、ステップＳ５１と同様に、下限基準値の電圧値から点Ｖ２で示した現在の電圧値を引くことで両者の差分を求める。図１０では、現在の電圧値である点Ｖ２と下限基準値との差分は−９５Ｖである。
ステップＳ５３では、確率分布を用いてＳ５１で求めた上限基準値との差分値以上となる確率である逸脱確率を求める。このとき図１１より、電圧変動量ΔＶが７０Ｖ以上となる確率を算出する。このとき、７０Ｖ以上となる確率分布の面積を全ての電圧変動量ΔＶでの確率分布の面積で割って求めた確率はここでは３０％とする。
ステップＳ５４では、Ｓ５３と同様に、確率分布を用いてＳ５２で求めた下限基準値との差分値以下となる確率である逸脱確率を求める。このとき図１１より、−９５Ｖ以下になる確率を算出する。求めた確率はここでは３％とする。
【００３３】
次に、図５のステップＳ６では、動作決定部１１は、逸脱確率がタップ切換するべき確率を超えているか否か判断する。逸脱確率があらかじめ定められたＳＶＲ２１ａのタップ切換するべき確率を超えていれば、図５のステップＳ７の処理に移る。図１０では、タップ切換をするべき確率を例えば５％とすると、上限基準値の逸脱確率が３０％であったため、タップ切換するべき確率５％を上回っていることから図５のステップＳ７の処理に進む。上限基準値及び下限基準値の逸脱確率がともにタップ切換するべき確率を下回っている場合については、後述する。
図５のステップＳ７では、上下限基準値の各々の逸脱確率のうち大きい方の逸脱確率を選択する。例えば、タップ切換するべき確率が５％であり、上限基準値の逸脱確率が３０％、下限基準値の逸脱確率が１５％である場合を考える。このように上下限基準値の逸脱確率がともにタップ切換するべき確率を超えている場合であっても、大きい方の値である上限基準値の逸脱確率の方を選択して次のステップＳ８に進む。また、ステップＳ１〜ステップＳ６で示すような例のように、上限基準値の逸脱確率が３０％、下限基準値の逸脱確率が３％である場合、上限基準値の逸脱確率３０％を選択し、次のステップＳ８に進む。
図５のステップＳ８では、動作決定部１１がＳＶＲ２１ａの動作を決定する。図１０である場合は上限基準値の逸脱確率が大きいので、動作決定部１１はＳＶＲ２１ａが電圧値を下げるようなタップ切換の動作をする決定をする。
【００３４】
最後に、制御指令部１２はＳＶＲ２１ａに制御指令を行い、動作を終了する。図１０では、逸脱確率が３０％でありタップ切換するべき確率５％を上回っているため、ＳＶＲ２１ａにタップ切換する指令を送る。
【００３５】
制御を行う必要がない場合の例を図１２で表す。制御を行う必要がある場合と同様に、処理の流れを分かりやすくするため、現在の電圧値を点Ｖ３で表している。図５、６及び９に従って処理を進める。以下では、制御を行う必要がある場合と異なる点を中心に処理について述べる。
【００３６】
図９のステップＳ５１において上限基準値と現在の電圧値との差分を求める。図１２では、現在の電圧値である点Ｖ３と上限基準値との差分は８５Ｖであるとする。次に、図９のステップＳ５２において下限基準値と現在の電圧値との差分を求める。図１２では、現在の電圧値である点Ｖ３と下限基準値との差分は−８０Ｖであるとする。
つづいて図９のステップＳ５３では、確率分布を用いて、上限基準値との差分値以上となる逸脱確率を求める。図１２では、８５Ｖ以上となる確率である逸脱確率を求め、３％であるとする。同様に、ステップＳ５４では下限基準値との差分値以下となる逸脱確率を求める。図１２では、−８０Ｖ以下となる確率である逸脱確率を求め、４％であるとする。
図５のステップＳ６では、動作決定部１１は、逸脱確率がタップ切換するべき確率を上回っているか判断する。このとき、上限基準値の逸脱確率が３％、下限基準値の逸脱確率が４％であることから、両者ともタップ切換するべき確率５％以下で下回っているという判断をする。
したがって、図１２ではタップ切換する必要がないため、図５のフローチャートは終了する。
【００３７】
図１２のように、現在の電圧値から本実施の形態では１分後の電圧値の上限基準値及び下限基準値の逸脱確率がタップ切換するべき確率よりも小さかった場合は制御を行わない。そのため、不要な動作をせずＳＶＲ２１ａの動作回数が低減される。
【００３８】
実施の形態１の例では、明らかに制御が不要と判断される電圧範囲を不感帯として設定し、現在の電圧値が、不感帯の範囲にあるかどうかをまず判定する処理を入れ、現在の電圧値が不感帯内にある場合はそれ以降の処理を省くことで処理負担を軽減する対策を講じてもよい。
【００３９】
実施の形態２．
実施の形態１では、単数のＳＶＲに対して、ある一定期間後の電圧値を予測した上で動作回数が低減されるよう制御を行っていた。
【００４０】
実施の形態２における実施の形態１との相違は、複数のＳＶＲを制御する点である。
【００４１】
下記では本発明の実施の形態１との相違点のみ説明し、同一または対応する部分についての説明は省略する。
図１４は、本発明の実施の形態２による、系統電圧制御装置１ｂを適用した配電制御システムの一例の図である。なお、図１４においては、実施の形態１と同様の構成には同じ符号を割り振る。図１４において、ステップ式電圧調整器であるＳＶＲ２１ａ及びＳＶＲ２２ａは、通信ネットワーク５に接続されている。ＳＶＲ２１ａの末端側でありＳＶＲ２２ａの変電所側に電圧計測装置４ａが設けられ、ＳＶＲ２２ａの末端側に電圧計測装置４ｂが設けられている。電圧計測装置４ａの計測結果を受けて動作させるのはＳＶＲ２１ａであり、電圧計測装置４ｂの計測結果を受けて動作させるのはＳＶＲ２２ａとする。ＳＶＲ２１ａに対して電圧計測装置４ａ１台のみ、ＳＶＲ２２ａに対して電圧計測装置４ｂ１台のみ設けられているが、それぞれ複数台あってもよいことは言うまでもない。
【００４２】
図１５において、本実施の形態の処理の流れを表す。ステップＳ１０、ステップＳ１１及びステップＳ１２は、各々図５のステップＳ４、ステップＳ５及びステップＳ６と同様の処理であり、本実施の形態ではＳＶＲ２１ａ及びＳＶＲ２２ａにおいて行う。
図５との相違は、ステップＳ１３で、逸脱確率がタップ切換するべき確率を複数箇所で超えている場合、最も変電所側にある計測箇所を選択する点である。
ステップＳ１４及びステップＳ１５は、ステップＳ１３において選択した計測箇所の逸脱確率を用いて、各々図５のステップＳ８及びステップＳ９と同様に処理を行う。
本実施の形態の例として、電圧計測装置４ａの上限基準値の逸脱確率が１５％、下限基準値の逸脱確率が３％とする。また、電圧計測装置４ｂの上限基準値の逸脱確率が１０％、下限基準値の逸脱確率が４％とする。この場合、ステップＳ１２において、電圧計測装置４ａ及び電圧計測装置４ｂで上限基準値を超えているためステップＳ１３に進む。
【００４３】
ステップＳ１３では、動作決定部１１が、複数の計測箇所の中でタップ切換するべき確率を超えている逸脱確率である計測箇所のうち、最も変電所側にある計測箇所を選択する。本実施の形態の例では、電圧計測装置４ａが最も変電所側にあるため、電圧計測装置４ａを選択する。
【００４４】
ステップＳ１４では、ＳＶＲ２１ａ又はＳＶＲ２２ａのいずれをどのように動作させるかの決定をする。上記のステップＳ１３で電圧計測装置４ａが選択された場合、電圧計測装置４ａの変電所側直近であるＳＶＲ２１ａを動作させる決定をする。上記のステップＳ１３で電圧計測装置４ｂが選択された場合、電圧計測装置４ｂの変電所側直近であるＳＶＲ２２ａを動作させる決定をする。本実施の形態の例では、ステップＳ１３で電圧計測装置４ａが選択されたので、ＳＶＲ２１ａを動作させる。また、このとき上限基準値の逸脱確率が１５％でタップ切換するべき確率を超えていたため、電圧を下げるよう動作させる決定をする。
【００４５】
本実施の形態に係る系統電圧制御装置１ｂでは、ＳＶＲ２１ａ及びＳＶＲ２２ａといったように複数ある場合において動作させるべき対象を決定することができる。したがって、ＳＶＲの不要な動作を減らし、動作回数が低減される。
【００４６】
実施の形態３．
実施の形態２では、複数のＳＶＲに対して動作回数が低減されるよう制御していた。
【００４７】
実施の形態３における実施の形態１及び実施の形態２と異なる点は、度数分布を作成するためデータベースから電圧値のデータを抽出する際に、現在の電圧値だけでなく気象情報も用いてデータベースから抽出する電圧値のデータを絞る点である。
【００４８】
以下では、実施の形態１及び実施の形態２との相違点のみ説明し、同一または対応する部分についての説明は省略する。
図１６は、本発明の実施の形態３による、系統電圧制御装置１ｃを適用した配電制御システムの一例の図である。なお、図１６においては、実施の形態１及び実施の形態２と同様の構成には同じ符号を割り振る。図１６において、配電系統は気象情報を出力する気象情報装置１３を有する。気象情報装置１３は、気象庁といった気象観測機関から計測された気象情報を受信し、接続されている通信ネットワーク５を介して系統電圧制御装置１ｃに気象情報を送る。
【００４９】
図１７は、本発明の実施の形態３の図１６における系統電圧制御装置１ｃの機能構成例を示した構成図である。
【００５０】
図１７に示すように、系統電圧制御装置１ｃは、図１の機能構成に加えて、図１６における通信ネットワーク５に接続されている気象情報収集部１４を備えている。
【００５１】
気象情報収集部１４は、気象情報装置１３から送られてきた計測情報の収集と収集された計測情報を整理し、整理した結果をデータベース８へ計測データとして出力する。
【００５２】
データベース８は、電圧収集部７から出力された計測データに加えて気象情報収集部１４から出力された計測データを入力し、データベース化して内部に蓄積する。
【００５３】
図１８のフローチャートでは、気象情報を加えて図６で述べた統計分析部９の処理と同様な処理の流れを表している。
ステップＳ４１０では、気象情報収集部１４から現在の気象情報を取得する。気象情報として、晴れ、雨及び曇りといった天候や、真夏日、真冬日及びそれ以外といった気温の情報が挙げられる。
ステップＳ４１１では、取得した気象情報から気象情報が一致し、かつ現在の電圧値の値±５０Ｖの範囲内にある電圧値をデータベース８から見つけて抽出する。
ステップＳ４１２〜ステップＳ４１４は、図６のステップＳ４２〜ステップＳ４４と同様である。
【００５４】
配電系統内にＰＶが設けられている場合及び気象によって需要家の使用電力量が異なる場合は、電圧値に影響を及ぼすと考えられる。そのため度数分布を作成する際に、用いる電圧値を気象情報も加えて絞って抽出することで、より精度の高い度数分布を作成することが可能となる。したがって、より正確な電圧値の予測をすることができ、ＳＶＲ２１ａの動作回数を低減することができる。
【００５５】
度数分布を作成する際に用いる情報として気象情報を挙げたが、曜日ごと、昼時間帯及び夜時間帯といった時間帯ごと、夏季及び冬季といった季節ごとの情報でもよい。
【符号の説明】
【００５６】
１ａ，１ｂ，１ｃ  系統電圧制御装置
２１ａ，２２ａ  ＳＶＲ
３  配電線
４ａ，４ｂ  電圧計測装置
５  通信ネットワーク
６  配電用変電所
７  電圧収集部
８  データベース
９  統計分析部
１０  逸脱確率予測部
１１  動作決定部
１２  制御指令部
１３  気象情報装置
１４  気象情報収集部
【図１】
2020068565.tif 000003
【図２】
2020068565.tif 000004
【図３】
2020068565.tif 000005
【図４】
2020068565.tif 000006
【図５】
2020068565.tif 000007
【図６】
2020068565.tif 000008
【図７】
2020068565.tif 000009
【図８】
2020068565.tif 000010
【図９】
2020068565.tif 000011
【図１０】
2020068565.tif 000012
【図１１】
2020068565.tif 000013
【図１２】
2020068565.tif 000014
【図１３】
2020068565.tif 000015
【図１４】
2020068565.tif 000016
【図１５】
2020068565.tif 000017
【図１６】
2020068565.tif 000018
【図１７】
2020068565.tif 000019
【図１８】
2020068565.tif 000020